(57)【要約】【課題】顧客の二次電池の使用実態により、寿命が大きく変動するため、精度の高い寿命予測が出来ないという課題を有していた。【解決手段】電源装置には二次電池のデータの測定部と測定したデータを一次的に保存するメモリを有し、当該メモリからのデータは、物理的収集又は，有線や無線等の通信網を介して伝送することにより、顧客に納入した装置毎にサーバで一括収集、蓄積と整理を行い、蓄積されたデータは、人が、同一ロット間の比較や過去蓄積されたデータとの比較や使用実態を勘案することによって、二次電池の余寿命を顧客の電源装置毎に正確に予測し、そのデータと寿命予測をもとに、寿命予測精度の向上と、二次電池の使用状態を容易に把握可能ならしめる。【選択図】図１
2007165040.tif 000002
【特許請求の範囲】
【請求項１】
電源装置に用いられる、複数個直列又は並列に構成した二次電池の保守管理の方法において、電源装置には二次電池のデータの測定部と測定したデータを一次的に保存するメモリを有し、当該メモリからのデータは，物理的収集又は，有線や無線等の通信網を介して伝送することにより、顧客に納入した装置毎にサーバで一括収集、蓄積と整理を行い、蓄積されたデータは、人が、同一ロット間の比較、過去蓄積されたデータとの比較及び使用実態を勘案することで、二次電池の余寿命を顧客の電源装置毎に正確に予測し、そのデータと寿命予測をもとに、寿命予測精度の向上と、二次電池の使用状態を容易に把握可能ならしめることを特徴とする二次電池の保守管理方法。
【請求項２】
電源装置に二次電池交換アラーム表示を設け、二次電池の寿命を予測し、二次電池交換予想時期や交換が必要な時に遠隔地より電源装置に表示信号を送ることにより、電源装置に二次電池交換予想時期や二次電池交換アラームに表示することで、顧客に早く情報を伝える請求項１の二次電池の保守管理方法。
【請求項３】
二次電池の状態データの測定とメモリの保存において、データのサンプリングの周期やデータの測定精度設定を電源装置設置後にも、有線や無線等を通しての変更やサービスマンが入手した変更ソフトをＰＣと電源装置とを接続して容易に変更可能することにより、必要に応じてデータ測定内容をコントロールすることを特徴とする請求項１または請求項２に記載の二次電池の保守管理方法。
【発明の詳細な説明】
【技術分野】
【０００１】
本発明は、公共関係や産業関係等の通信システムや情報システムや制御システムや社会インフラ設備等に用いられる電源装置に使用される二次電池の使用状態を管理し、二次電池の余寿命予測の精度を上げることにより、顧客により安心いただける保守活動を提供する方法に関するものである。
【背景技術】
【０００２】
停電時に諸システムの電源装置に電力供給する二次電池として通常鉛蓄電池が用いられるが、近年、技術の進歩により、鉛蓄電池でも７年から１０数年使用することが可能となってきている。通常二次電池を交換するには、一般的に耐用年数が決まっており、サービスマンは定期的に測定したデータと一般的な耐用年数をもとに二次電池の交換時期を顧客に提案していた。他の方法として、電源装置自体に寿命判定装置を具備する方法もあるが、顧客毎に負荷条件や使用環境が異なるため、個々のセットにおいて、寿命予測値を最適に予測するのは難しく非常に高価なものになり、通常使用される方法として、使用二次電池の表面温度を継続的に測定し，使用中の平均温度を演算し、その平均温度と電源装置の設置経過年数とを判断基準に、交換時期を知らせるものがある。（特許文献１参照）
【特許文献１】特開平５−３１５０１５号公報
【発明の開示】
【発明が解決しようとする課題】
【０００３】
しかし、従来の一般的な耐用年数と通常年一回の定期メンテナンスでサービスマン等が顧客訪問時に、その時点で取得したデータから実施する寿命予測は、一般的な寿命年数であるため、寿命までのマージンが十分あること、及び、顧客の二次電池の使用実態により、寿命が大きく変動することにより、精度の高い寿命予測が出来ず、早めの交換が励行され、無駄な費用が発生したり、逆に、二次電池交換が遅れたために停電時に十分なバックアップが出来ない等の課題を有していた。また、装置に組み込んだ寿命判定は使用累積時間をカウントし、残り時間を予想するものが多く、一般的な耐用年数同様に寿命予測の精度をあげるには課題を有していた。
【課題を解決するための手段】
【０００４】
本発明は、電源装置に用いられる、複数個直列又は並列に構成した二次電池の保守管理の方法において、電源装置には二次電池のデータの測定部と測定したデータを一次的に保存するメモリを有し、データはサービスマンが定期的なメンテナンスでメモリからデータ収集，又は有線や無線等の通信網を介して伝送され、各データは顧客に納入した装置毎にサーバで一括収集、蓄積と整理を行い、蓄積したデータは、人が、同一ロット間の比較や過去蓄積されたデータとの比較及び使用実態を総合的に勘案することで、二次電池の余寿命を顧客の装置毎に正確に予測し、そのデータと寿命予測をもとに、寿命予測精度の向上と、顧客が二次電池の使用状態を容易に把握可能ならしめることを特徴とする二次電池の保守管理方法を提供するものである。
【０００５】
本発明の二次電池の保守管理方法を用いることにより、顧客の使用実績データを細かく管理することにより、データを診断することにより、顧客に精度を向上させた二次電池の寿命予測を提案することができる。
【発明の効果】
【０００６】
本発明によると電源装置に使用される二次電池の余寿命を顧客の装置毎に正確に予測することにより、二次電池の信頼性確保と予防保全の向上のため、必要に応じて二次電池交
換を顧客様に提案を行うことで、顧客の安心・安全を確保する保守管理方法を得ることができる。
【発明を実施するための最良の形態】
【０００７】
以下、本発明を実施するための最良の形態を図面を参照しながら説明する。 （実施の
（実施の形態１）
図１は、本発明の実施の形態における二次電池の保守管理方法の構成図である。
【０００８】
図１は顧客１と二次電池を保守管理するメーカーサービス部門２で構成される。顧客１に電源装置６を納入し、電源装置６は電源部６１、二次電池部６２、コントロール部６３５と温度検出部６３１と電圧検出部６３２とインピーダンス検出部６３３と充放電電流検出部６３４とメモリ部６３６と受発信部６３７で構成される二次電池監視部６３、サービスデータ端子部６４とで構成される。次にメーカーサービス部門２は受発信部９、データ蓄積保管部（サーバ）１０の装置で構成される。６１は電源部であり、負荷装置７に常時電力を供給する。６２は二次電池で、常時充電されており、電源トラブル時に二次電池部６２より電源部６１に電力を供給する。６３は二次電池６２を監視及び測定されたデータの送信を行う二次電池監視部である。６３１、６３２、６３３、６３４はそれぞれ、温度検出部、電圧検出部、インピーダンス検出部、充放電電流検出部でそれぞれ二次電池に関する温度、電圧、インピーダンス、充放電電流等を検出する。６３６はメモリ部で温度検出部６３１、電圧検出部６３２、インピーダンス検出部６３３、放電電流検出部６３４で検出されたデータを保管する。６３７は受発信部で二次電池の情報をメーカーサービス部門2に転送する。６３５はコントロール部で二次電池監視部６３の全体をコントロールする。６４はサービスデータ端子で二次電池監視部６３のメモリ部６３６の情報をサービスマンがＰＣ等を接続することにより、出力する。８は一般公共通信網であり、二次電池の情報をメーカーのサービス部門２に電子データで送る。９は受発信部で８の公共通信網からのデータを授受する。１０はデータ蓄積保管部であって通常サーバ等で構成され、電源装置毎に二次電池のデータが保存される。１１はデータ診断で、１０のサーバ等に保管されたデータをもとに、二次電池の劣化モードを熟知した技術者が診断を行い、診断結果１２をまとめる。１３はメーカーのサービスマンで顧客に納入した電源装置６の定期メンテナンスを行うと同時に、サービスデータ端子６４を利用して、メモリ部６３６のデータをＰＣ等で吸い上げ、吸い上げたデータをデータ蓄積保管部（サーバ）１０に入力を行う。ま１２のデータ診断結果を顧客１の装置管理者５に連絡を行う。５は顧客１の装置管理者で電源装置６や負荷装置７の管理を行う。
【０００９】
これらにより、顧客毎にシステムが一品一様で異なり、さらに使用条件が異なる電源装置６に使用される二次電池６２の寿命予測を行うにあたり、電源装置６には二次電池６２のデータ測定とそのデータの保存とデータ転送とに機能を限定し、データはメーカーサービス部門２においてサーバ等で一元管理を行うことにより、管理や相対比較を簡素化し、個々の使用条件が異なる複雑データの診断を人が行い、診断機能を集中的に行うことにより、個々の二次電池の状態を詳細に把握し、精度の高い寿命予測を行う。その診断結果１２をサービスマン１３が顧客１に、二次電池62の状態を説明することにより、顧客１に安心感を与えるという特有の効果を有する。
【００１０】
(発明の形態２)
二次電池の保守管理方法で電源装置６に二次電池交換アラーム表示65を設け、請求項１の方法により、二次電池６２の寿命を予測し、二次電池交換予想時期や交換が必要な時に遠隔地より電源装置６に表示信号を送る。この信号で、電源装置６に二次電池交換予想時期や二次電池交換アラームに表示することによって、顧客への情報伝達速度を早め、また、消耗品である二次電池６２の交換時期等を顧客１に速やかに伝達することも可能となる。
【００１１】
図２は、本発明の実施の形態における二次電池６２の保守管理方法の構成図である。
【００１２】
図１に対し表示６５を追加し、診断結果１２から受発信部９に矢印の追加を行っているのみため、共通部分の説明は省略する。６５は表示装置であり、メーカーサービス部門２の診断結果１２を、受発信部９をとおして電源装置６の受発信部６３７に情報を送り、コントロール部６３５で解読と信号を表示装置６５に出力し、表示装置６５で表示を行う。これにより、顧客への情報伝達の迅速化と二次電池６２の交換時期の認識向上を行うことが可能となるという特有の効果を有する。
【００１３】
また、以上の二形態において，二次電池６２の状態データの測定とメモリの保存時のデータのサンプリング周期やデータの測定精度設定を電源装置６設置後にも、有線や無線等を通しての変更やサービスマンが入手した変更ソフトをＰＣと電源装置とを接続して容易に変更可能すること等により、必要に応じてデータ測定頻度，内容をコントロールすることができる。
【００１４】
これにより、初期設定時や寿命末期や二次電池62の異常が想定されるデータが検出された場合は、測定精度の向上及び、又は、サンプリング周期を密にすることにより、更にきめ細かく、二次電池６２の状態が把握でき、精度の高い寿命予測をすることが可能となる。
【産業上の利用可能性】
【００１５】
本発明による二次電池の保守方法は  寿命予測時期の精度が向上し、サービス活動の高効率化の効果を有しており、産業用に使用される電源装置等に有用である。
【図面の簡単な説明】
【００１６】
【図１】本発明の実施の形態１における構成図
【図２】本発明の実施の形態２における構成図
【符号の説明】
【００１７】
１  顧客
２  メーカーサービス部門
３  人
４  装置
５  装置管理者
６  電源装置
６１  電源部
６２  二次電池部
６３  二次電池監視部
６３１  温度検出部
６３２  電圧検出部
６３３  インピーダンス検出部
６３４  充放電電流検出部
６３５  コントロール部
６３６  メモリ部
６３７  受発信部
６４  サービスデータ端子部
６５  表示装置
７  負荷装置
８  一般公共通信網
９  受発信部
１０  データ蓄積保管部（サーバ）
１１  データ診断
１２  診断結果
１３  サービスマン
【図１】
2007165040.tif 000003
【図２】
2007165040.tif 000004